(57)【要約】      （修正有）【課題】電気通信ネットワークの無線アクセスネットワークのアクセスポイントと、電気通信ネットワークの加入者のユーザ機器との間の使用可能帯域幅を向上させる方法を提供する。【解決手段】ユーザ機器２０及びアクセスポイント１５は、少なくとも第１の通信キャリア及び第２の通信キャリアのキャリアアグリゲーションを用いる標準化された移動通信技術に基づいて相互に通信し、第１の通信キャリアは、第１のキャリア周波数１１０を有し、第２の通信キャリアは、第２のキャリア周波数１２０を有し、第１のキャリア周波数は、通信技術に関係した標準化された認可周波数であり、第２のキャリア周波数は、無認可周波数である。【選択図】図１
2014161091.tif 000002
【特許請求の範囲】
【請求項１】
一方における電気通信ネットワーク（１０）の無線アクセスネットワーク（１６）のアクセスポイント（１５）と、他方における前記電気通信ネットワーク（１０）の加入者のユーザ機器（２０）との間の使用可能帯域幅を向上させる方法であって、
前記ユーザ機器（２０）及び前記アクセスポイント（１５）は、少なくとも第１の通信キャリア及び第２の通信キャリアのキャリアアグリゲーションを用いる標準化された移動通信技術に基づいて相互に通信し、
前記第１の通信キャリアは、第１のキャリア周波数（１１０）を有し、前記第２の通信キャリアは、第２のキャリア周波数（１２０）を有し、
前記第１のキャリア周波数（１１０）は、前記移動通信技術に関係した標準化された認可周波数であり、
前記第２のキャリア周波数（１２０）は無認可周波数である
方法。
【請求項２】
前記第２のキャリア周波数（１２０）は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数である請求項１に記載の方法。
【請求項３】
前記第２のキャリア周波数（１２０）は、無認可周波数、特に、ＩＳＭ無線周波数帯域（産業科学医療用無線周波数帯域）の周波数である請求項１又は２に記載の方法。
【請求項４】
前記第１のキャリア周波数（１１０）は、前記電気通信ネットワーク（１０）によって用いられるように割り当てられた認可周波数である請求項１〜３のいずれか１項に記載の方法。
【請求項５】
前記第１のキャリア周波数上の第１の通信技術は、プライマリセル（ＰＣｅｌｌ）を定義し、一方、前記第２のキャリア周波数（１２０）上の第２の通信技術は、前記ＰＣｅｌｌに加えて少なくとも一時的に使用される、少なくとも１つのセカンダリセル（ＳＣｅｌｌ）を定義する請求項１〜４のいずれか１つに記載の方法。
【請求項６】
前記第１のキャリア周波数（１１０）上で動作する前記ＰＣｅｌｌと前記第２のキャリア周波数（１２０）上で動作する前記少なくとも１つのＳＣｅｌｌとの間のキャリアアグリゲーションは、前記少なくとも１つのＳＣｅｌｌ上のリソース配分が、無認可周波数を用いながら、前記ＰＣｅｌｌからのリソース配分制御情報により実行される場合に実行される請求項１〜５に記載の方法。
【請求項７】
前記第１のキャリア周波数（１１０）上で動作する前記ＰＣｅｌｌと前記第２のキャリア周波数（１２０）上で動作する前記少なくとも１つのＳＣｅｌｌとの間のキャリアアグリゲーションは、前記ＰＣｅｌｌと前記少なくとも１つのＳＣｅｌｌは、同じ動作モードで動作する場合に実行され、該動作モードはＦＤＤモード若しくはＴＤＤモードのいずれかである請求項１〜６に記載の方法。
【請求項８】
前記第１のキャリア周波数（１１０）上で動作する前記ＰＣｅｌｌと前記第２のキャリア周波数（１２０）上で動作する前記少なくとも１つのＳＣｅｌｌとの間のキャリアアグリゲーションは、前記ＰＣｅｌｌと前記少なくとも１つのＳＣｅｌｌは、異なる動作モードで動作する場合に実行され、該動作モードは、前記ＰＣｅｌｌ上はＦＤＤモードであり前記少なくとも１つのＳＣｅｌｌ上はＴＤＤモードであるか、若しくは前記ＰＣｅｌｌ上はＴＤＤモードであり前記少なくとも１つのＳＣｅｌｌ上はＦＤＤモードである請求項１〜６に記載の方法。
【請求項９】
前記第１のキャリア周波数（１１０）上で動作する前記ＰＣｅｌｌと前記第２のキャリア周波数（１２０）上で動作する前記少なくとも１つのＳＣｅｌｌとの間のキャリアアグリゲーションは、前記少なくとも１つのＳＣｅｌｌが、ダウンリンク方向へのみ用いるために全てのリソースを配分するコンフィギュレーションモードで動作する場合に実行される請求項１〜６に記載の方法。
【請求項１０】
前記第１のキャリア周波数（１１０）上で動作する前記ＰＣｅｌｌと前記第２のキャリア周波数（１２０）上で動作する前記少なくとも１つのＳＣｅｌｌとの間のキャリアアグリゲーションは、前記少なくとも１つのＳＣｅｌｌがアップリンクとダウンリンクのリソース配分をＴＤＤフレーム構造で配分するコンフィギュレーションモードで動作し、ある時間インスタンスにおいて該配分はアップリンクにあり、他の時間インスタンスにおいて該配分はダウンリンクにある場合に実行される請求項１〜６に記載の方法。
【請求項１１】
一方における電気通信ネットワーク（１０）の無線アクセスネットワーク（１６）のアクセスポイント（１５）と、他方における前記電気通信ネットワーク（１０）の加入者のユーザ機器（２０）との間の使用可能帯域幅を向上させるシステムであって、
前記ユーザ機器（２０）及び前記アクセスポイント（１５）は、少なくとも第１の通信キャリア及び第２の通信キャリアのキャリアアグリゲーションを用いる標準化された移動通信技術に基づいて相互に通信し、
前記第１の通信キャリアは、第１のキャリア周波数（１１０）を有し、前記第２の通信キャリアは、第２のキャリア周波数（１２０）を有し、
前記第１のキャリア周波数（１１０）は、前記移動通信技術に関係した標準化された認可周波数であり、
前記第２のキャリア周波数（１２０）は無認可周波数である
システム。
【請求項１２】
一方における電気通信ネットワーク（１０）の無線アクセスネットワーク（１６）のアクセスポイント（１５）と、他方における前記電気通信ネットワーク（１０）の加入者のユーザ機器（２０）との間の使用可能帯域幅を向上させるアクセスポイントであって、
前記ユーザ機器（２０）及び前記アクセスポイント（１５）は、少なくとも第１の通信キャリア及び第２の通信キャリアのキャリアアグリゲーションを用いる標準化された移動通信技術に基づいて相互に通信し、
前記第１の通信キャリアは、第１のキャリア周波数（１１０）を有し、前記第２の通信キャリアは、第２のキャリア周波数（１２０）を有し、
前記第１のキャリア周波数（１１０）は、前記移動通信技術に関係した標準化された認可周波数であり、
前記第２のキャリア周波数（１２０）は無認可周波数である
アクセスポイント。
【請求項１３】
一方における電気通信ネットワーク（１０）の無線アクセスネットワーク（１６）のアクセスポイント（１５）と、他方における前記電気通信ネットワーク（１０）の加入者のユーザ機器（２０）との間の使用可能帯域幅を向上させるユーザ機器であって、
前記ユーザ機器（２０）及び前記アクセスポイント（１５）は、少なくとも第１の通信キャリア及び第２の通信キャリアのキャリアアグリゲーションを用いる標準化された移動通信技術に基づいて相互に通信し、
前記第１の通信キャリアは、第１のキャリア周波数（１１０）を有し、前記第２の通信キャリアは、第２のキャリア周波数（１２０）を有し、
前記第１のキャリア周波数（１１０）は、前記移動通信技術に関係した標準化された認可周波数であり、
前記第２のキャリア周波数（１２０）は無認可周波数である
ユーザ機器。
【請求項１４】
コンピュータ上で実行されると、請求項１〜１０のいずれか１つに記載の方法を前記コンピュータに実行させるプログラムコードを含むプログラム。
【請求項１５】
一方における電気通信ネットワーク（１０）の無線アクセスネットワーク（１６）のアクセスポイント（１５）と、他方におけるユーザ機器（２０）との間の使用可能帯域幅を向上させるコンピュータプログラム製品であって、
該コンピュータプログラム製品は、記憶媒体に記憶されたコンピュータプログラムを含み、該コンピュータプログラムは、コンピュータ上で実行されると、請求項１〜１０のいずれか１つに記載の方法を前記コンピュータに実行させるプログラムコードを含むコンピュータプログラム製品。
【発明の詳細な説明】
【技術分野】
【０００１】
本発明は、一方における電気通信ネットワークの無線アクセスネットワークのアクセスポイントと、他方における電気通信ネットワークの加入者のユーザ機器との間の使用可能帯域幅を向上させる方法に関する。さらに、本発明は、一方における電気通信ネットワークの無線アクセスネットワークのアクセスポイントと、他方における電気通信ネットワークの加入者のユーザ機器との間の使用可能帯域幅を向上させるシステムに関する。さらに、本発明は、一方におけるアクセスポイントと、他方における電気通信ネットワークの加入者のユーザ機器との間の使用可能帯域幅を向上させる当該アクセスポイント、プログラム、及びコンピュータプログラム製品に関する。
【０００２】
本明細書に開示する主題は、包括的には、認可周波数帯域と無認可周波数帯域との間のキャリアアグリゲーション（ＣＡ：Carrier Aggregation）に関する。
【背景技術】
【０００３】
キャリアアグリゲーションは、セルラネットワークにおいて、より大きい集約された帯域幅を達成し、したがって、より大きい可能なピークビットレートを達成するために、複数の無線チャネルを束ねる手段である。キャリアアグリゲーションは、第３世代パートナーシッププロジェクト（３ＧＰＰ：Third Generation Partnership Project）Ｒｅｌ−１０［www.3gpp.org］におけるロングタームエボリューション（ＬＴＥ：Long Term Evolution）アドバンスト標準規格の一部として定義されるとともに、マイクロ波アクセスの世界的相互運用性（ＷｉＭＡＸ：Worldwide Interoperability for Microwave Access）（ＩＥＥＥ８０２．１６ｍ）標準規格においても定義されている。
【０００４】
キャリアアグリゲーションは、隣接するチャネル／帯域に限定されず、帯域間キャリアアグリゲーションもサポートされている。
【０００５】
移動広帯域データの予想される急成長によって、セルラ事業者は、現在、自身のネットワークのコストを管理する代替的な解決策を考察している。
【０００６】
無線ローカルエリアネットワーク（ＷＬＡＮ：Wireless Local Area Network）及びセルラネットワークの双方の技術が何らの相互作用なく共存した初期の頃とは対照的に、標準化機構は、ＷＬＡＮをセルラ技術と相互接続する複数の機能強化を展開してきた。例えば、Ｉ−ＷＬＡＮ（インターワーキング無線ＬＡＮ）が、３ＧＰＰによってそのＲｅｌ−７において追加され、ＷＬＡＮ及びゲートウェイを介した３ＧＰＰシステムへのアクセスを提供している。進化型パケットシステム（ＥＰＳ：Evolved Packet System）のイベントを用いたＷＬＡＮと３ＧＰＰシステムとの間のこの接続の強化として、Ｓ２ｂインタフェースを介したＰＭＩＰ／ＧＴＰ（プロキシ移動インターネットプロトコル／汎用パケット無線サービス（ＧＰＲＳトンネリングプロトコル）又はプロキシ移動ＩＰｖ６（ＰＭＩＰｖ６：Proxy Mobile IPv6）を用いるいわゆる「信頼できないアクセス」が導入されている。ＷＬＡＮと進化型パケットシステム（ＥＰＳ）との間の更に別の相互運用性も、「ＩＰフローモビリティ」に関する成果とともに３ＧＰＰ  Ｒｅｌ−１０において規定されている。これによって、一方ではＷＬＡＮアクセスを用いるとともに、他方ではユニバーサル移動電気通信システム（ＵＭＴＳ：Universal Mobile Telecommunication System）又はＬＴＥ無線ネットワークを介して接続されている単一の端末の同時動作が可能になる。選択的ＩＰフロールーティングによって、サービス品質（ＱｏＳ：Quality-of-Service）又は事業者要件に依存しながらユーザエクスペリエンスの改善が可能になり、インターネットプロトコル（ＩＰ：Internet Protocol）フローを一方又は他方の無線アクセスに選択的にルーティングすることができる。さらに、この特徴パッケージによって、セルラ無線ネットワークとＷＬＡＮ無線ネットワークとの間のシームレスな認証及びシームレスな移動も可能になる。
【発明の概要】
【発明が解決しようとする課題】
【０００７】
しかしながら、インターネットプロトコル（ＩＰ）フローには、ＷＬＡＮアクセスとＵＭＴＳ／ＬＴＥとの間の統合間に依然として隔たりがある。
【０００８】
本発明の目的は、電気通信ネットワークの無線アクセスネットワークのアクセスポイントとユーザ機器との間の使用可能帯域幅を向上させるために、当該アクセスポイントを用いる改善された方法を提案することであり、特に、認可帯域と無認可帯域との間のキャリアアグリゲーションを行う方法、公衆ランドモバイルネットワーク（ＰＬＭＮ：Public land mobile network）、及びプログラムを提供することである。
【課題を解決するための手段】
【０００９】
本発明の目的は、一方における電気通信ネットワークの無線アクセスネットワークのアクセスポイントと、他方における前記電気通信ネットワークの加入者のユーザ機器との間の使用可能帯域幅を向上させる方法であって、前記ユーザ機器及び前記アクセスポイントは、少なくとも第１の通信キャリア及び第２の通信キャリアのキャリアアグリゲーションを用いる標準化された移動通信技術に基づいて相互に通信し、前記第１の通信キャリアは、第１のキャリア周波数を有し、前記第２の通信キャリアは、第２のキャリア周波数を有し、前記第１のキャリア周波数は、前記移動通信技術に関係した標準化された認可周波数であり、前記第２のキャリア周波数は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数である、方法によって達成される。
【００１０】
本発明の目的は、一方における電気通信ネットワークの無線アクセスネットワークのアクセスポイントと、他方における前記電気通信ネットワークの加入者のユーザ機器との間の使用可能帯域幅を向上させる方法であって、前記ユーザ機器及び前記アクセスポイントは、少なくとも第１の通信キャリア及び第２の通信キャリアのキャリアアグリゲーションを用いる標準化された移動通信技術に基づいて相互に通信し、前記第１の通信キャリアは、第１のキャリア周波数を有し、前記第２の通信キャリアは、第２のキャリア周波数を有し、前記第１のキャリア周波数は、前記移動通信技術に関係した標準化された認可周波数であり、前記アクセスポイントのアンテナデバイスが、無線周波数信号を前記ユーザ機器に送信し及び／又は前記ユーザ機器から無線周波数信号を受信するのに用いられ、第１の時間間隔の間、前記アンテナデバイスは、
前記標準化された移動通信技術、又は
代替的な標準化された移動通信技術、
に従って、前記第２のキャリア周波数上で無線周波数信号を送信及び／又は受信するのに用いられ、第２の時間間隔の間、前記アンテナデバイスは、更に別の移動通信技術に従って無線周波数信号を送信及び／又は受信するのに用いられ、前記第１の時間間隔及び前記第２の時間間隔は交互にあらわれ（alternating）、前記第２のキャリア周波数は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数である、方法によっても達成される。
【００１１】
それによって、有利には、電気通信ネットワークのプロバイダ又は事業者のそれぞれの標準化された認可無線周波数帯域において移動通信技術を用いるだけでなく、その同じ移動通信技術を、その特定の移動通信技術用の標準化された認可無線周波数帯域の外部の周波数レンジにおいて用いることも可能である。これは、認可帯域と、無認可帯域を用いたアグリゲーションリンクとを用いる無線リンクのアグリゲーションが提案されていることを意味する。例えば、キャリアアグリゲーションが、
標準化された（及びネットワーク事業者又はプロバイダによって認可された）スペクトルの部分内の第１のキャリア周波数を有する第１のキャリアと、
無線周波数スペクトルの無認可部分内の第２のキャリア周波数を有する第２のキャリアと、
の間で実現されるように、ロングタームエボリューション（ＬＴＥ）通信技術又はロングタームエボリューションアドバンスト（ＬＴＥアドバンスト）通信技術に従って、ＩＳＭ周波数帯域の周波数を（第２のキャリア周波数として）用いて通信リンクを確立することが可能である。
【００１２】
さらに、第２のキャリア周波数上で無線周波数信号を送信及び／又は受信する第１の時間間隔の間にアンテナデバイスを用いることによって、かつ
標準化された移動通信技術に従って、又は
代替的な標準化された移動通信技術に従って、
有利には、第２のキャリア周波数上で以下のことが可能である。
通常は認可帯域上で用いられる第１のセルラ移動通信技術（すなわち、標準化された移動通信技術）、例えば、第１のキャリア周波数上でも用いられるＬＴＥを用いること、又は、代替的に、
通常は認可帯域上で用いられる第２のセルラ移動通信技術（すなわち、代替的な標準化された移動通信技術）、例えば、第１のキャリア周波数上では用いられない高速パケットアクセス（ＨＳＰＡ：High Speed Packet Access）／高速パケットアクセスプラス（ＨＳＰＥ＋：High Speed Packet Access plus）を用いること、又は、代替的に、
通常は第１の時間間隔の間及び第２の時間間隔の間の双方において無認可帯域上で用いられる第２のセルラ移動通信技術（すなわち、この代替的な標準化された移動通信技術は、更に別の移動通信技術に対応する）、例えば、同様に第１のキャリア周波数上では用いられないＷＬＡＮを用いること。
【００１３】
本発明において、アンテナデバイスは、
アンテナ素子と、
ベースバンドユニットと、
を備え、前記アンテナ素子は、前記ベースバンドユニットによって電気信号として該アンテナ素子に提供される電磁無線周波数（ＲＦ：Radio Frequency）信号を送信するのに用いられ（送信パス）、前記アンテナ素子は、前記ベースバンドユニットによって電気信号として受信及び処理される電磁ＲＦ信号を受信するのに用いられる（受信パス）。
【００１４】
本発明によれば、前記第２のキャリア周波数は、無認可周波数、特に、産業科学医療用（ＩＳＭ：Industrial Scientific and Medical）無線周波数帯域の周波数であることが好ましい。
【００１５】
さらに、本発明によれば、前記第１のキャリア周波数は、前記電気通信ネットワークによって用いられるように割り当てられた認可周波数であることが好ましい。
【００１６】
本発明において、認可周波数及び認可帯域という用語は、例えば、［３ＧＰＰ  ＴＳ２５．１０１及び３ＧＰＰ  ＴＳ３６．１０１］に規定されたＵＭＴＳ／ＨＳＰＡ無線技術又はＬＴＥ無線技術とともに利用されるように規定された周波数又は周波数帯域をそれぞれ指す。
【００１７】
さらに、本発明において、無認可周波数、無認可帯域、又はＩＳＭ無線周波数帯域という用語は、Ｂｌｕｅｔｏｏｔｈ（登録商標）又は無線ＬＡＮ（ＷＬＡＮ／ＷｉＦｉ）のような無線技術だけでなく電子レンジ等も動作する産業、科学、及び医療の用途のために規定された帯域（「ＩＳＭ帯域」）を指す。
【００１８】
キャリアアグリゲーションの概念（ＣＡ）は、本明細書では、ＬＴＥアドバンストキャリアアグリゲーションの３ＧＰＰの概念及び３ＧＰＰの表記を用いて例示的に説明されているが、これに限定されるものではない。ＬＴＥ−Ａキャリアアグリゲーションの概略及び用いられる術語は、［３ＧＰＰ  ＴＳ３６．３００ｖ１０．０．０］において確認することができる。
【００１９】
３ＧＰＰリリース１０のキャリアアグリゲーションの重要な要素は、ＬＴＥ無線技術を用いるとともに一種のアンカとして動作するいわゆるプライマリセル（ＰＣｅｌｌ：Primary Cell）を用いることである。ＰＣｅｌｌは、ＣＡを用いてＵＥに向かう接続を行う制御インスタントとしても動作する。追加の帯域幅のアグリゲーションには、セカンダリセル（ＳＣｅｌｌ：Secondary Cell）上のいわゆる追加のコンポーネントキャリア（ＣＣ：Component Carrier）が用いられる。集約された通信接続は、単一のＰＣｅｌｌに少なくとも単一のＳＣｅｌｌを加えて、ＰＣｅｌｌ及び少なくとも１つのＳＣｅｌｌの機能（帯域幅）を組み合わせたものからなる。
【００２０】
キャリアアグリゲーションによって、複数のキャリアにわたる無線リソースの同時利用を通じて、ユーザ端末に配信される有効な帯域幅の拡張が可能になる。複数のコンポーネントキャリアが集約されて、全体的により大きな送信帯域幅が形成される。
【００２１】
本発明の更なる好ましい実施形態によれば、アクセスポイントのアンテナデバイスが、無線周波数信号を前記ユーザ機器に送信し、及び／又は無線周波数信号を前記ユーザ機器から受信するのに用いられ、第１の時間間隔の間、前記アンテナデバイスは、前記標準化された移動通信技術に従って前記第２のキャリア周波数上で無線周波数信号を送信及び／又は受信するのに用いられ、第２の時間間隔の間、前記アンテナデバイスは、更なる別の移動通信技術に従って、無線周波数信号を送信及び／又は受信するのに用いられ、前記第１の時間間隔及び前記第２の時間間隔は交互にあらわれ、特に、前記更なる別の移動通信技術は、ＩＥＥＥ８０２．１１ファミリの移動通信標準規格のうちの１つによる技術である。
【００２２】
それによって、本発明によれば、キャリアアグリゲーションを用いて、移動通信技術を適用した送信と、（オルターネイティングタイムスロット方式の他の時点において又は他のタイムスロット内で）更なる別の移動通信技術を適用した送信との双方にアクセスポイントを用いることができることが特に有利である。
【００２３】
本発明によれば、前記第１の時間間隔及び前記第２の時間間隔が、例えば、１０秒又は１秒又は５００ミリ秒の所定の時間期間内で生じるか又は交互にあらわれるようなオルターネイティングタイムスロット方式を実施することが特に好ましい。また、本発明によれば、前記所定の時間期間内において、第１の時間間隔は２つ生じるが第２の時間間隔は１つしか生じないか、又はその逆であることが可能であり、また好ましい。さらに、前記所定の時間期間内に、第１の数の第１の時間間隔及び第２の数の第２の時間間隔が生じ、前記第１の数及び前記第２の数は１から始まる整数（すなわち、１、２、３、４等）であるような他のオルターネイティングタイムスロット方式を適用することができる。
【００２４】
本発明によれば、前記移動通信技術は、以下の技術、すなわち、
発展型ユニバーサル地上無線アクセスネットワーク（Ｅ−ＵＴＲＡＮ：Evolved Universal Terrestrial Radio Access Network）技術、
ロングタームエボリューション（ＬＴＥ）技術、
ロングタームエボリューションアドバンスト（ＬＴＥアドバンスト）技術、
ユニバーサル移動電気通信システム（ＵＭＴＳ）技術、
ＨＳＰＡ（高速パケットアクセス）、
ＨＳＰＡ＋（高速パケットアクセスプラス）技術、及び
ＷｉＭＡＸ（マイクロ波アクセスの世界的相互運用性）技術、
のうちの１つであることが更に好ましい。
【００２５】
本発明によれば、前記キャリアアグリゲーションは、前記ユーザ機器から前記電気通信ネットワークへのアップリンク方向において前記使用可能帯域幅を向上させるのに用いられ、及び／又は前記キャリアアグリゲーションは、前記電気通信ネットワークから前記ユーザ機器へのダウンリンク方向において前記使用可能帯域幅を向上させるのに用いられることが更に好ましい。
【００２６】
それによって、有利なことに、本発明によれば、使用可能帯域幅の向上がアップリンク接続にもダウンリンク接続にも制限されないことが可能であるが、また、アップリンク方向及びダウンリンク方向の双方において、本発明の使用可能帯域幅の向上が可能であることも可能である。
【００２７】
本発明は、一方における電気通信ネットワークの無線アクセスネットワークのアクセスポイントと、他方における前記電気通信ネットワークの加入者のユーザ機器との間の使用可能帯域幅を向上させるシステムであって、前記ユーザ機器及び前記アクセスポイントは、少なくとも第１の通信キャリア及び第２の通信キャリアのキャリアアグリゲーションを用いる標準化された移動通信技術に基づいて相互に通信し、前記第１の通信キャリアは、第１のキャリア周波数を有し、前記第２の通信キャリアは、第２のキャリア周波数を有し、前記第１のキャリア周波数は、前記移動通信技術に関係した標準化された認可周波数であり、前記第２のキャリア周波数は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数である、システムにも関する。
【００２８】
本発明によれば、本発明のシステムに関しても、
前記第２のキャリア周波数は、無認可周波数、特に、ＩＳＭ無線周波数帯域（産業科学医療用無線周波数帯域）の周波数であり、及び／又は
前記第１のキャリア周波数は、前記電気通信ネットワークによって用いられるように割り当てられた認可周波数であり、及び／又は
前記移動通信技術は、以下の技術、すなわち、
発展型ユニバーサル地上無線アクセスネットワーク（Ｅ−ＵＴＲＡＮ）技術、
ロングタームエボリューション（ＬＴＥ）技術、
ロングタームエボリューションアドバンスト（ＬＴＥアドバンスト）技術、
ユニバーサル移動電気通信システム（ＵＭＴＳ）技術、
ＨＳＰＡ（高速パケットアクセス）、
ＨＳＰＡ＋（高速パケットアクセスプラス）技術、及び
ＷｉＭＡＸ（マイクロ波アクセスの世界的相互運用性）技術、
のうちの１つであることが好ましい。
【００２９】
さらに、本発明のシステムに関しても、前記アクセスポイントのアンテナデバイスが、無線周波数信号を前記ユーザ機器に送信し、及び／又は無線周波数信号を前記ユーザ機器から受信するのに用いられ、第１の時間間隔の間、前記アンテナデバイスは、標準化された移動通信技術に従って、前記第２のキャリア周波数上の無線周波数信号を送信及び／又は受信するのに用いられ、第２の時間間隔の間、前記アンテナデバイスは、更に別の移動通信技術に従って無線周波数信号を送信及び／又は受信するのに用いられ、前記第１の時間間隔及び前記第２の時間間隔は交互にあらわれ、特に、前記更に別の移動通信技術は、ＩＥＥＥ８０２．１１ファミリの移動通信標準規格のうちの１つによる技術であることが好ましい。
【００３０】
本発明はまた、一方における電気通信ネットワークの無線アクセスネットワークのアクセスポイントと、他方における前記電気通信ネットワークの加入者のユーザ機器との間の使用可能帯域幅を向上させる該アクセスポイントであって、前記ユーザ機器及び該アクセスポイントは、少なくとも第１の通信キャリア及び第２の通信キャリアのキャリアアグリゲーションを用いる標準化された移動通信技術に基づいて相互に通信し、前記第１の通信キャリアは、第１のキャリア周波数を有し、前記第２の通信キャリアは、第２のキャリア周波数を有し、前記第１のキャリア周波数は、前記移動通信技術に関係した標準化された認可周波数であり、前記第２のキャリア周波数は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数である、アクセスポイントに関する。
【００３１】
さらに、本発明のアクセスポイントに関しても、前記アクセスポイントのアンテナデバイスが、無線周波数信号を前記ユーザ機器に送信し、及び／又は無線周波数信号を前記ユーザ機器から受信するのに用いられ、第１の時間間隔の間、前記アンテナデバイスは、標準化された移動通信技術に従って、前記第２のキャリア周波数上の無線周波数信号を送信及び／又は受信するのに用いられ、第２の時間間隔の間、前記アンテナデバイスは、更なる別の移動通信技術に従って無線周波数信号を送信及び／又は受信するのに用いられ、前記第１の時間間隔及び前記第２の時間間隔は交互にあらわれ、特に、前記更なる別の移動通信技術は、ＩＥＥＥ８０２．１１ファミリの移動通信標準規格のうちの１つによる技術であることが好ましい。
【００３２】
さらに、本発明は、一方における電気通信ネットワークの無線アクセスネットワークのアクセスポイントと、他方における前記電気通信ネットワークの加入者のユーザ機器との間の使用可能帯域幅を向上させるユーザ機器であって、前記ユーザ機器及び前記アクセスポイントは、少なくとも第１の通信キャリア及び第２の通信キャリアのキャリアアグリゲーションを用いる標準化された移動通信技術に基づいて相互に通信し、前記第１の通信キャリアは、第１のキャリア周波数を有し、前記第２の通信キャリアは、第２のキャリア周波数を有し、前記第１のキャリア周波数は、前記移動通信技術に関係した標準化された認可周波数であり、前記第２のキャリア周波数は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数である、ユーザ機器に関する。
【００３３】
加えて、本発明は、コンピュータ上で実行されると、本発明による方法を前記コンピュータに実行させるコンピュータ可読プログラムコードを含むプログラムに関する。
【００３４】
さらに、本発明は、一方における電気通信ネットワークの無線アクセスネットワークのアクセスポイントと、他方におけるユーザ機器との間の使用可能帯域幅を向上させるコンピュータプログラム製品であって、該コンピュータプログラム製品は、本発明による方法を実行するコンピュータ可読プログラム命令が具現化されたコンピュータ可読記憶媒体を含む、コンピュータプログラム製品に関する。
【００３５】
本発明のこれらの特性、特徴、及び利点、並びに他の特性、特徴、及び利点は、以下の詳細な説明を、添付の図面と併せて考慮した場合に、これらから明らかになるであろう。添付の図面は、本発明の原理を例として示す。明細書本文は、本発明の範囲を限定することなく、例示のためにのみ与えられる。以下に引用する参照図は添付の図面を指す。
【図面の簡単な説明】
【００３６】
【図１】キャリアアグリゲーションを用いた通信状況を表現したものを概略的に示す図である。
【図２】開放型システム相互接続（ＯＳＩ：Open System Interconnection）モデルの媒体アクセス制御（ＭＡＣ：Media Access Control）レイヤ上でのリソースのアグリゲーションを概略的に示す図である。
【図３】異なる移動通信技術間でのタイムスロット共有の一例を概略的に示す図である。
【発明を実施するための形態】
【００３７】
本発明は、特定の実施形態に関して或る特定の図面を参照して説明されるが、本発明はそれらに限定されるものではなく、特許請求の範囲によってのみ限定される。説明される図面は単に概略的なものであり、非限定的である。図面において、要素のうちのいくつかの大きさは誇張されている場合があり、説明の目的で縮尺通りに描かれていない場合がある。
【００３８】
数量が特定されていない名詞（a singular noun）を参照するときに数量を特定しない表現（indefinite or definite article, e.g. "a","an","the"）が用いられている場合、これは特に別段の指定がない限り、複数の該名詞を含む。
【００３９】
さらに、明細書及び特許請求の範囲における第１の、第２の、第３の等の用語は、類似した要素間で区別するために用いられ、必ずしも順番又は時系列を説明するために用いられるものではない。このように用いられる用語は、適切な状況下で交換可能であること、及び本明細書において説明される本発明の実施形態は、本明細書に説明又は例示されるもの以外の順序で動作可能であることを理解されたい。
【００４０】
図１には、キャリアアグリゲーションを用いた通信状況を表現したものが概略的に表されている。ユーザ機器２０が、電気通信ネットワーク１０の無線アクセスネットワーク１６を介して電気通信ネットワーク１０と接続されている。電気通信ネットワーク１０は、通常、通信リンク６００を介して無線アクセスネットワーク１６にリンクされたコアネットワーク１７も備える。通信サービスをユーザ機器２０に提供する無線周波数通信リンクが、一方における電気通信ネットワーク１０の無線アクセスネットワーク１６のアクセスポイント１５と、他方におけるユーザ機器２０との間に維持される。本発明によれば、第１の通信キャリア及び第２の通信キャリアが、キャリアアグリゲーション方式に従って集約され、ユーザ機器２０とアクセスポイント１５との間に、向上された使用可能帯域幅が提供される。第１の通信キャリアは、第１のキャリア周波数１１０を有し、第２の通信キャリアは、第２のキャリア周波数１２０を有する。本発明において、「第１のキャリア周波数１１０」及び「第２のキャリア周波数１２０」という用語は、用いられる移動通信技術に従って「第１のキャリア周波数帯域１１０」及び「第２のキャリア周波数帯域１２０」が用いられる場合には、そのような周波数帯域をも示すことを意味することが理解されるべきである。
【００４１】
本発明において、アクセスポイント１５は、ユーザ機器２０に電気通信ネットワーク１０へのアクセスを提供するデバイスである。特に、そのようなアクセスポイント１５は、ロングタームエボリューション（ＬＴＥ）技術によるｅＮｏｄｅＢ又はフェムトセルｅＮｏｄｅＢ等とすることができる。これらの第１の通信キャリア及び第１のキャリア周波数１１０を介して、ＰＣｅｌｌが実現されるか又はユーザ機器２０に提供される。これらの第２の通信キャリア及び第２のキャリア周波数１２０を介して、ＳＣｅｌｌが実現されるか又はユーザ機器２０に提供される。本発明によれば、アクセスポイント１５は、第１の通信キャリア用の無線リンク又はエアインタフェースのいずれかと、第２の通信キャリア用の無線リンク又はエアインタフェースのいずれかとの双方を提供するアンテナデバイスを備える。代替的に、アクセスポイント１５は、アンテナデバイスの（第１の通信キャリア用の無線リンク又はエアインタフェースを提供する）第１の部分と、アンテナデバイスの（第２の通信キャリア用の無線リンク又はエアインタフェースを提供する）第２の部分との形態でアンテナデバイスを備え、アンテナデバイスのそのような部分は、以下では、それぞれ、第１のアンテナデバイス及び第２のアンテナデバイスとも呼ばれる。
【００４２】
図１の例によれば、アクセスポイント１５は、第１の通信キャリア用の無線リンク又はエアインタフェースを提供する第１のアンテナデバイス１０１と、第２の通信キャリア用の無線リンク又はエアインタフェースを提供する第２のアンテナデバイス１０２とを備える。ユーザ機器２０は、第１の通信キャリア用の無線リンク又はエアインタフェースを提供する第３のアンテナデバイス２０１と、第２の通信キャリア用の無線リンク又はエアインタフェースを提供する第４のアンテナデバイス２０２とを備えることができる。もちろん、「第１のアンテナデバイス」、「第２のアンテナデバイス」、「第３のアンテナデバイス」、及び／又は「第４のアンテナデバイス」は、ＭＩＭＯ（多入力多出力）機能を実現するように多数のアンテナ（又はアンテナ素子）を備えることができることが理解されるべきである。
【００４３】
アクセスポイント１５のアンテナ機能及び／又はユーザ機器２０のアンテナ機能は、２つの物理的に異なるアンテナデバイス（アクセスポイント用の第１のアンテナデバイス及び第２のアンテナデバイス／ユーザ機器用の第３のアンテナデバイス及び第４のアンテナデバイス）間で必ずしも分割されている必要はなく、アクセスポイント１５若しくはユーザ機器２０又は双方において、統合されたアンテナデバイスを設けて、第１の通信キャリア及び第２の通信キャリアの双方がこの統合されたアンテナデバイスによってハンドリングされる（すなわち、エアインタフェースが提供される）ようにすることが可能であることが理解されるべきである。さらに、アクセスポイント１５又はユーザ機器２０における１つのアンテナは、ＭＩＭＯ技術（ＭＩＭＯ＝多入力多出力アンテナ）が用いられる場合には、複数のアンテナとして理解することもできる。
【００４４】
図２には、ＯＳＩモデルのＭＡＣレイヤ上でのリソースのアグリゲーションが概略的に示されている。第１のキャリア周波数１１０（又は第１の通信キャリア）は、物理ＰＣｅｌｌ（ＰＣｅｌｌ  ＰＨＹ）通信リンクを提供する。第２のキャリア周波数１２０（又は第２の通信キャリア）は、物理ＳＣｅｌｌ（ＳＣｅｌｌ  ＰＨＹ）通信リンクを提供する。ＯＳＩ（開放型システム相互接続）通信モデルのＭＡＣレイヤ１７０（媒体アクセス制御）上では、キャリアアグリゲーションは、第１の通信キャリアに関係したハイブリッド自動再送要求（ＨＡＲＱ：Hybrid Automatic Repeat Request）エンティティ１４０と、第２の通信キャリアに関係したＨＡＲＱ１５０と、多重化エンティティ１６０とによって実現される。
【００４５】
図２には、ＯＳＩモデルの上位レイヤに向かって、ＭＡＣレイヤ１７０の上の更に別のレイヤ、すなわち、無線リンク制御（ＲＬＣ：Radio Link Control）レイヤ１７１、パケットデータコンバージェンスプロトコル（ＰＤＣＰ：Packet Data Convergence Protocol）レイヤ１７２、及びインターネットプロトコル（ＩＰ）レイヤ１７３が概略的に示されている。
【００４６】
図３には、異なる移動通信技術間のタイムスロット共有の一例が、ロングタームエボリューション（ＬＴＥ）通信技術及びＷＬＡＮ通信技術に従って通信リンクを用いる例として概略的に示されている。ＰＣｅｌｌ機能を提供する第１のキャリア周波数１１０（したがって、関連したアンテナデバイス）における第１の通信キャリアは、ロングタームエボリューション（ＬＴＥ）通信技術（もちろん、代替的に、別の通信技術の使用を実施することができる）に従って動作する。ＳＣｅｌｌ機能を提供する第２のキャリア周波数１２０（したがって、関連したアンテナデバイス）における第２の通信キャリアは、
利用可能なタイムスロットの或る部分の間（又は第１の時間間隔の間）、ロングタームエボリューション（ＬＴＥ）通信技術（もちろん、代替的に、別の通信技術の使用を実施することができる）に従って動作し、
利用可能なタイムスロットの別の部分の間（又は第２の時間間隔の間）、無線ローカルエリアネットワーク通信技術（もちろん、代替的に、別の通信技術の使用を実施することができる）に従って動作する。第１のタイムスロット及び第２のタイムスロットは、好ましくは、双方の無線リンクを交互に用いることができるように交互にあらわれる。同一の継続時間が概略的に示されていることとは関係なく、第１の通信技術及び第２の通信技術の動作の時間配分に制限はない。
【００４７】
本発明によれば、現在の最新技術とは対照的に、キャリアアグリゲーションは、認可帯域を用いるＰＣｅｌｌと、無認可帯域を用いる少なくとも１つのＳＣｅｌｌとの間で実行される。
【００４８】
代替的に、少なくとも単一の認可帯域において動作する第１の技術と、少なくとも単一の認可帯域において動作する第２の技術と、少なくとも第１の無認可帯域において動作する第１の技術又は第２の技術のいずれかとのアグリゲーションを用いることも可能である。
【００４９】
認可帯域及び無認可帯域を効率的に束ねるために、ＰＣｅｌｌが認可帯域上でＬＴＥを用いて構成されるが、無認可帯域もＳＣｅｌｌと同じ無線技術ＬＴＥを適用することが本発明によって提案される。
【００５０】
代替的に、ＰＣｅｌｌが認可帯域上でＬＴＥを用いて構成されるが、無認可帯域がＳＣｅｌｌのようにＬＴＥと異なるセルラ無線技術、したがって、例えばＨＳＰＡ／ＨＳＰＡ＋を適用する本発明の一実施形態が提案される。
【００５１】
代替的に、ＰＣｅｌｌが認可帯域上でＬＴＥを用いて構成されるが、無認可帯域がＳＣｅｌｌのようにＬＴＥと異なるセルラ無線技術、したがって、例えばＷＬＡＮを適用する本発明の別の実施形態が提案される。
【００５２】
ＳＣｅｌｌを無認可帯域上で用いるこの概念によって、双方のアクセスの能力を用いた日和見主義的なブースト（opportunistic boosting）及び選択的なトラフィックフロー制御が可能になる。
【００５３】
通常は認可帯域上の許容Ｔｘ電力よりも低い、無認可帯域における最大許容送信電力（Ｔｘ電力）に関する規制上の制限によって、この種の日和見主義的なキャリアアグリゲーションは、小さなセルが利用されるときに特に有用である。国内の規制に応じて、無認可スペクトルを用いるセルの最大達成可能範囲は、数百ｍ（欧州のＥＴＳＩ規制）及び北米のＦＣＣ規制（例示として、２．４ＧＨｚのＩＳＭ帯域の場合）の約２ｋｍに制限される。
【００５４】
本発明は、ＰＣｅｌｌを用いてセルラ技術によって制御されている無認可帯域におけるリソース配分の制御を可能にすることも提案する。すなわち、ＳＣｅｌｌ（無認可帯域を用いる）のリソースのあらゆる配分が、ＰＣｅｌｌによって制御される。
【００５５】
ＬＴＥ等の認可技術とＷＬＡＮ等の無認可技術との間の従来の相互動作によれば、特定のＩＰフローがどの無線技術にマッピングされるかについてのセルラ事業者による制御を含めて、高々、ＵＥへのＩＰフローの選択的なルーティングが可能になるだけである。したがって、特に、単一のＩＰフローは、認可された無線技術又は無認可の無線技術のいずれかに既にマッピングされているが、双方にはマッピングされていない。換言すれば、フローはＩＰレベルで制御されており、スタックの下位レイヤでは制御されていないと言うことができる。
【００５６】
現在の最新技術とは対照的に、本発明は、認可帯域と無認可帯域との間のキャリアアグリゲーションを必要とし、このリソースのアグリゲーションは、ＭＡＣレイヤ（図２参照）において行われる。
【００５７】
本発明の１つの実施形態は、認可帯域におけるコンポーネントキャリアと同じ動作モードに、無認可帯域における追加のコンポーネントキャリアを用いる。これは、周波数分割複信（ＦＤＤ：Frequency Division Duplexing）モード又は時分割複信（ＴＤＤ：Time Division Duplexing）モードのいずれかである。
【００５８】
本発明の一代替形態は、認可帯域におけるコンポーネントキャリアと異なる動作モードに、無認可帯域における追加のコンポーネントキャリアを用いる。例えば、認可帯域におけるコンポーネントキャリアは、周波数分割複信（ＦＤＤ）モードで動作する一方、無認可帯域におけるコンポーネントキャリアは、時分割複信（ＴＤＤ）モードで動作する。代替的に、認可帯域におけるコンポーネントキャリアは、時分割複信（ＴＤＤ）モードで動作する一方、無認可帯域におけるコンポーネントキャリアは、周波数分割複信（ＦＤＤ）モードで動作する。
【００５９】
動作モードの特定の形態は、認可帯域におけるコンポーネントキャリアが周波数分割複信（ＦＤＤ）モードで動作する一方、無認可帯域におけるコンポーネントキャリアも周波数分割複信（ＦＤＤ）モードで動作するが、無認可帯域において周波数分割複信（ＦＤＤ）モードで動作する関連したアップリンクを提供しない構成である。すなわち、この構成は、無認可スペクトルの全て又は大部分をダウンリンクにおいて配分し、追加のダウンリンクスペクトルを用いることによってダウンリンク性能のみを改善する一方、周波数分割複信（ＦＤＤ）動作モードにおいて必要とされるアップリンクは、認可帯域を用いた（すなわち、第１のキャリア周波数１１０を用いた）コンポーネントキャリアにのみ関連付けられるか又はこれらのコンポーネントキャリアに少なくとも部分的に関連付けられる。
【００６０】
同様に、無認可帯域（すなわち、第２のキャリア周波数１２０）上のコンポーネントキャリアが周波数分割複信（ＦＤＤ）モードを用いたアップリンク方向においてのみ動作する一方、周波数分割複信（ＦＤＤ）動作モードにおいて必要とされるダウンリンクは、認可帯域を用いたコンポーネントキャリアにのみ関連付けられるか又はこれらのコンポーネントキャリアに少なくとも部分的に関連付けられる逆の構成が可能である。
【００６１】
本発明は、通常は無認可帯域において動作する無線モデムの部分（例えば、ＷＬＡＮ接続性を提供する、例えば、通信デバイスの部分）が、通常は認可帯域において用いられるモード（例えば、ＨＳＰＡ／ＨＳＰＡ＋又はＬＴＥ／ＬＴＥ−Ａ）で動作するように動的に再構成される方法も提案する。これを行うことによって、キャリアアグリゲーション動作モードにおいて、利用可能な（無線）ハードウェアの一部を用いて、利用可能な無認可帯域（すなわち、第２の通信キャリア）を認可帯域（すなわち、第１の通信キャリア）と集約することができるか、又は通常の無認可モード（ＷＬＡＮモード）で同時に動作させることができる。
【００６２】
したがって、本発明は、
例えば、ＨＳＰＡ／ＨＳＰＡ＋又はＬＴＥ／ＬＴＥ−Ａ等の認可帯域無線技術と、加えて、
無認可モード無線技術（例えば、ＷＬＡＮ）又は（例えば、ＨＳＰＡ／ＨＳＰＡ＋若しくはＬＴＥ／ＬＴＥ−Ａのような）認可モードの無線技術において構成することができる無線送信機エンティティと、
を用いて、無線ノード（又はユーザ機器）の同時接続性を提供する基地局（又はアクセスポイント）の構成を提案する。
【００６３】
本発明の態様は以下の通りである。
態様１．一方における電気通信ネットワーク（１０）の無線アクセスネットワーク（１６）のアクセスポイント（１５）と、他方における前記電気通信ネットワーク（１０）の加入者のユーザ機器（２０）との間の使用可能帯域幅を向上させる方法であって、
前記ユーザ機器（２０）及び前記アクセスポイント（１５）は、少なくとも第１の通信キャリア及び第２の通信キャリアのキャリアアグリゲーションを用いる標準化された移動通信技術に基づいて相互に通信し、
前記第１の通信キャリアは、第１のキャリア周波数（１１０）を有し、前記第２の通信キャリアは、第２のキャリア周波数（１２０）を有し、
前記第１のキャリア周波数（１１０）は、前記移動通信技術に関係した標準化された認可周波数であり、
前記アクセスポイント（１５）のアンテナデバイスが、無線周波数信号を前記ユーザ機器（２０）に送信し及び／又は前記ユーザ機器（２０）から無線周波数信号を受信するのに用いられ、
第１の時間間隔の間、前記アンテナデバイスは、前記標準化された移動通信技術、又は代替的な標準化された移動通信技術に従って、前記第２のキャリア周波数（１２０）上で無線周波数信号を送信及び／又は受信するのに用いられ、
第２の時間間隔の間、前記アンテナデバイスは、更なる別の移動通信技術に従って無線周波数信号を送信及び／又は受信するのに用いられ、
前記第１の時間間隔及び前記第２の時間間隔は交互にあらわれ、
前記第２のキャリア周波数（１２０）は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数である方法。
態様２．前記第２のキャリア周波数（１２０）は、無認可周波数、特に、ＩＳＭ無線周波数帯域（産業科学医療用無線周波数帯域）の周波数である態様１に記載の方法。
態様３．前記第１のキャリア周波数（１１０）は、前記電気通信ネットワーク（１０）によって用いられるように割り当てられた認可周波数である態様１又は態様２に記載の方法。
態様４．前記更なる別の移動通信技術は、ＩＥＥＥ８０２．１１ファミリの移動通信標準規格のうちの１つによる技術である態様１〜３のいずれか１つに記載の方法。
態様５．前記移動通信技術は、以下の技術、すなわち、
発展型ユニバーサル地上無線アクセスネットワーク（Ｅ−ＵＴＲＡＮ）技術、
ロングタームエボリューション（ＬＴＥ）技術、
ロングタームエボリューションアドバンスト（ＬＴＥアドバンスト）技術、
ユニバーサル移動電気通信システム（ＵＭＴＳ）技術、
ＨＳＰＡ（高速パケットアクセス）、
ＨＳＰＡ＋（高速パケットアクセスプラス）技術、及び
ＷｉＭＡＸ（マイクロ波アクセスの世界的相互運用性）技術、
のうちの１つである態様１〜４のいずれか１つに記載の方法。
態様６．前記キャリアアグリゲーションは、前記ユーザ機器（２０）から前記電気通信ネットワーク（１０）へのアップリンク方向において前記使用可能帯域幅を向上させるのに用いられ、及び／又は前記キャリアアグリゲーションは、前記電気通信ネットワーク（１０）から前記ユーザ機器（２０）へのダウンリンク方向において前記使用可能帯域幅を向上させるのに用いられる態様１〜５のいずれか１つに記載の方法。
態様７．一方における電気通信ネットワーク（１０）の無線アクセスネットワーク（１６）のアクセスポイント（１５）と、他方における前記電気通信ネットワーク（１０）の加入者のユーザ機器（２０）との間の使用可能帯域幅を向上させるシステムであって、
前記ユーザ機器（２０）及び前記アクセスポイント（１５）は、少なくとも第１の通信キャリア及び第２の通信キャリアのキャリアアグリゲーションを用いる標準化された移動通信技術に基づいて相互に通信し、
前記第１の通信キャリアは、第１のキャリア周波数（１１０）を有し、前記第２の通信キャリアは、第２のキャリア周波数（１２０）を有し、
前記第１のキャリア周波数（１１０）は、前記移動通信技術に関係した標準化された認可周波数であり、
前記アクセスポイント（１５）のアンテナデバイスが、無線周波数信号を前記ユーザ機器（２０）に送信し及び／又は前記ユーザ機器（２０）から無線周波数信号を受信するのに用いられ、
第１の時間間隔の間、前記アンテナデバイスは、前記標準化された移動通信技術、又は代替的な標準化された移動通信技術に従って、前記第２のキャリア周波数（１２０）上で無線周波数信号を送信及び／又は受信するのに用いられ、
第２の時間間隔の間、前記アンテナデバイスは、更なる別の移動通信技術に従って無線周波数信号を送信及び／又は受信するのに用いられ、
前記第１の時間間隔及び前記第２の時間間隔は交互にあらわれ、前記第２のキャリア周波数（１２０）は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数であるシステム。
態様８．前記第１のキャリア周波数（１１０）は、前記電気通信ネットワーク（１０）によって用いられるように割り当てられた認可周波数である態様７に記載のシステム。
態様９．前記更なる別の移動通信技術は、ＩＥＥＥ８０２．１１ファミリの移動通信標準規格のうちの１つによる技術である態様７又は態様８に記載のシステム。
態様１０．前記移動通信技術は、以下の技術、すなわち、
発展型ユニバーサル地上無線アクセスネットワーク（Ｅ−ＵＴＲＡＮ）技術、
ロングタームエボリューション（ＬＴＥ）技術、
ロングタームエボリューションアドバンスト（ＬＴＥアドバンスト）技術、
ユニバーサル移動電気通信システム（ＵＭＴＳ）技術、
ＨＳＰＡ（高速パケットアクセス）、
ＨＳＰＡ＋（高速パケットアクセスプラス）技術、及び
ＷｉＭＡＸ（マイクロ波アクセスの世界的相互運用性）技術、
のうちの１つである態様７〜９のいずれか１項に記載のシステム。
態様１１．一方における電気通信ネットワーク（１０）の無線アクセスネットワーク（１６）のアクセスポイント（１５）と、他方における前記電気通信ネットワーク（１０）の加入者のユーザ機器（２０）との間の使用可能帯域幅を向上させる該アクセスポイント（１５）であって、
前記ユーザ機器（２０）及び該アクセスポイント（１５）は、少なくとも第１の通信キャリア及び第２の通信キャリアのキャリアアグリゲーションを用いる標準化された移動通信技術に基づいて相互に通信し、
前記第１の通信キャリアは、第１のキャリア周波数（１１０）を有し、前記第２の通信キャリアは、第２のキャリア周波数（１２０）を有し、
前記第１のキャリア周波数（１１０）は、前記移動通信技術に関係した標準化された認可周波数であり、
該アクセスポイント（１５）のアンテナデバイスが、無線周波数信号を前記ユーザ機器（２０）に送信し及び／又は前記ユーザ機器（２０）から無線周波数信号を受信するのに用いられ、
第１の時間間隔の間、前記アンテナデバイスは、前記標準化された移動通信技術、又は代替的な標準化された移動通信技術に従って、前記第２のキャリア周波数（１２０）上で無線周波数信号を送信及び／又は受信するのに用いられ、
第２の時間間隔の間、前記アンテナデバイスは、更なる別の移動通信技術に従って無線周波数信号を送信及び／又は受信するのに用いられ、
前記第１の時間間隔及び前記第２の時間間隔は交互にあらわれ、
前記第２のキャリア周波数（１２０）は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数であるアクセスポイント。
態様１２．前記更なる別の移動通信技術は、ＩＥＥＥ８０２．１１ファミリの移動通信標準規格のうちの１つによる技術である態様１１に記載のアクセスポイント。
態様１３．一方における電気通信ネットワーク（１０）の無線アクセスネットワーク（１６）のアクセスポイント（１５）と、他方における前記電気通信ネットワーク（１０）の加入者のユーザ機器（２０）との間の使用可能帯域幅を向上させるユーザ機器（２０）であって、
前記ユーザ機器（２０）及び前記アクセスポイント（１５）は、少なくとも第１の通信キャリア及び第２の通信キャリアのキャリアアグリゲーションを用いる標準化された移動通信技術に基づいて相互に通信し、
前記第１の通信キャリアは、第１のキャリア周波数（１１０）を有し、前記第２の通信キャリアは、第２のキャリア周波数（１２０）を有し、
前記第１のキャリア周波数（１１０）は、前記移動通信技術に関係した標準化された認可周波数であり、
前記アクセスポイント（１５）のアンテナデバイスが、無線周波数信号を前記ユーザ機器（２０）に送信し及び／又は前記ユーザ機器（２０）から無線周波数信号を受信するのに用いられ、
第１の時間間隔の間、前記アンテナデバイスは、前記標準化された移動通信技術、又は代替的な標準化された移動通信技術に従って、前記第２のキャリア周波数（１２０）上で無線周波数信号を送信及び／又は受信するのに用いられ、
第２の時間間隔の間、前記アンテナデバイスは、更なる別の移動通信技術に従って無線周波数信号を送信及び／又は受信するのに用いられ、
前記第１の時間間隔及び前記第２の時間間隔は交互にあらわれ、
前記第２のキャリア周波数（１２０）は、以下の周波数レンジ、すなわち、
６．７６５ＭＨｚ〜６．７９５ＭＨｚ、
１３．５５３ＭＨｚ〜１３．５６７ＭＨｚ、
２６．９５７ＭＨｚ〜２７．２８３ＭＨｚ、
４０．６６ＭＨｚ〜４０．７０ＭＨｚ、
４３３．０５ＭＨｚ〜４３４．７９ＭＨｚ、
９０２ＭＨｚ〜９２８ＭＨｚ、
２．４００ＧＨｚ〜２．５００ＧＨｚ、
５．７２５ＧＨｚ〜５．８７５ＧＨｚ、
２４．００ＧＨｚ〜２４．２５ＧＨｚ、
６１．０ＧＨｚ〜６１．５ＧＨｚ、
１２２ＧＨｚ〜１２３ＧＨｚ、及び
２４４ＧＨｚ〜２４６ＧＨｚ、
のうちの１つの周波数レンジ内の周波数であるユーザ機器。
態様１４．
コンピュータ上で実行されると、態様１〜６のいずれか１つに記載の方法を前記コンピュータに実行させるプログラムコードを含むプログラム。
態様１５．一方における電気通信ネットワーク（１０）の無線アクセスネットワーク（１６）のアクセスポイント（１５）と、他方におけるユーザ機器（２０）との間の使用可能帯域幅を向上させるコンピュータプログラム製品であって、
該コンピュータプログラム製品は、記憶媒体に記憶されたコンピュータプログラムを含み、該コンピュータプログラムは、コンピュータ上で実行されると、態様１〜６のいずれか１つに記載の方法を前記コンピュータに実行させるプログラムコードを含むコンピュータプログラム製品。
【図１】
2014161091.tif 000003
【図２】
2014161091.tif 000004
【図３】
2014161091.tif 000005
【外国語明細書】
2014161091.tif 000006
2014161091.tif 000007
2014161091.tif 000008
2014161091.tif 000009
2014161091.tif 000010
2014161091.tif 000011
2014161091.tif 000012
2014161091.tif 000013
2014161091.tif 000014
2014161091.tif 000015
2014161091.tif 000016
2014161091.tif 000017
2014161091.tif 000018
2014161091.tif 000019
2014161091.tif 000020
2014161091.tif 000021
2014161091.tif 000022
2014161091.tif 000023
2014161091.tif 000024
2014161091.tif 000025
2014161091.tif 000026
2014161091.tif 000027
2014161091.tif 000028
2014161091.tif 000029
2014161091.tif 000030
2014161091.tif 000031
2014161091.tif 000032
2014161091.tif 000033